(57)【要約】 【課題】充分な収納スペースを確保できるとともに、その収納スペースへの荷物の運搬を容易に行えるようになるエレベータ付き建物を提供すること。【解決手段】  居室階層Ａと、この居室階層Ａよりも高さ寸法の低い蔵階層Ｃとが含まれる躯体部分８にエレベータ用昇降路２０が設けられ、このエレベータ用昇降路２０には、運搬かご２１が昇降自在に設けられ、この運搬かご２１は、その床レベルが蔵階層Ｃの床レベルと一致して停止する。【選択図】 図１
2004224575.tif 000002
【特許請求の範囲】
【請求項１】
居室階層と、この居室階層よりも高さ寸法の低い蔵階層とが含まれる躯体部分にエレベータ用昇降路が設けられたエレベータ付き建物であって、前記エレベータ用昇降路には、運搬かごが昇降自在に設けられ、この運搬かごは、その床レベルが前記蔵階層の床レベルと一致して停止することを特徴とするエレベータ付き建物。
【請求項２】
請求項１に記載のエレベータ付き建物において、前記運搬かごの下部位置には、前記蔵階層との間での荷物の受け渡しを行う荷物専用扉が設けられていることを特徴とするエレベータ付き建物。
【請求項３】
請求項１に記載のエレベータ付き建物において、前記運搬かごには、その上部から下部までの全高を上下に二分割した上下扉が設けられ、この上下扉は、所定の階層に応じて下側または上側、あるいは下側と上側との両方が開閉することを特徴とするエレベータ付き建物。
【請求項４】
請求項１〜３のいずれかに記載のエレベータ付き建物において、前記居室階層は１階と２階とを備え、これらの１階と２階の居室階層の間に前記蔵階層が設けられていることを特徴とするエレベータ付き建物。
【発明の詳細な説明】
【技術分野】
【０００１】
本発明は、建物の内部にエレベータを設けたエレベータ付き建物に関する。
【背景技術】
【０００２】
住宅等の建物においては、生活様式の多様化等にともない、居住スペースとともに収納スペースをいかに有効に確保するかが重要な課題となっている。
従来、収納スペースとしては、押入や床下収納庫等が一般的であるが、これらだけでは充分な収納スペースを確保できないことから、デッドスペースの有効活用を目的として、屋根の内部を利用して屋根裏部屋を形成し、この屋根裏部屋を収納スペースとして利用することも普及してきている。
また、通常の居住階の高さ寸法よりも高さの低い中間階層を形成し、この中間階層を収納スペースとすることも行われ、この場合、中間階層を蔵ユニット等の専用階層構造で形成することも行われている。
【０００３】
一方、２階建て以上の一般住宅において、階段を上る労を省いたり、荷物の上下階への運搬作業を軽減したりするために、小規模エレベータが普及してきている。そして、このエレベータは、各居住階ごとに停止するものであった。
【発明の開示】
【発明が解決しようとする課題】
【０００４】
しかし、屋根裏部屋を収納スペースとして利用する場合、下階の荷物を屋根裏部屋まで運搬することは、階段を登って行くしかなく、大変な労力を必要とするものであった。また、エレベータを設置したとしても、エレベータは、居室階層のみ停止するため、上下階での荷物の運搬は容易となるが、上階から屋根裏部屋までの荷物の運搬は、エレベータから降ろした後屋根裏部屋への階段等の通路を通って行わなければならず、依然として大変であった。
【０００５】
本発明の目的は、充分な収納スペースを確保できるとともに、その収納スペースへの荷物の運搬を容易に行えるようになるエレベータ付き建物を提供することにある。
【課題を解決するための手段】
【０００６】
本発明のエレベータ付き建物は、居室階層と、この居室階層よりも高さ寸法の低い蔵階層とが含まれる躯体部分にエレベータ用昇降路が設けられたエレベータ付き建物であって、前記エレベータ用昇降路には、運搬かごが昇降自在に設けられ、この運搬かごは、その床レベルが前記蔵階層の床レベルと一致して停止することを特徴とする。
【０００７】
本発明では、前記運搬かごの下部位置には、前記蔵階層との間での荷物の受け渡しを行う荷物専用扉が設けられている構成が好ましい。
さらに、前記運搬かごには、その上部から下部までの全高を上下に二分割した上下扉が設けられ、この上下扉は、所定の階層に応じて下側または上側、あるいは下側と上側との両方が開閉する構成が好ましい。
また、前記居室階層は１階と２階とを備え、これらの１階と２階の居室階層の間に前記蔵階層が設けられている構成が好ましい。
【０００８】
エレベータ付き建物は、図面を参照して説明すると、図１に示すように、居室階層Ａを含む躯体部分８とこの躯体部分８の上に設けられる屋根部分６とを備え、この屋根部分６の内部に小屋裏階層Ｂが形成されるとともに、居室階層Ａから小屋裏階層Ｂにおよぶエレベータ用昇降路２０が設けられたエレベータ付き建物１であって、エレベータ用昇降路２０には、躯体部分８下端から小屋裏階層Ｂまで上昇する運搬かご２１が昇降自在に設けられ、この運搬かご２１の床２１Ａのレベルは小屋裏７の床７Ａレベルより低くなっていることを特徴とするものである。
【０００９】
以上において、躯体部分とは、屋根部を除く１階あるいは複数階からなる建物部をいい、この場合、複数の建物ユニットを組み合わせた建物、パネル工法による建物ユニットを組み合わせた建物、あるいは、在来工法により建てられた建物等どのような建物でもよい。また、運搬かごは、一人、二人が乗れる程度の大きさのものを使用することが好ましく、さらに、この運搬かごの駆動方式は、油圧式、ロープ式のいずれのものでもよい。
このような発明では、躯体部分の上に小屋裏階層が設けられており、この小屋裏を収納スペースとすれば充分な収納スペースを確保できる。また、エレベータの運搬かごが小屋裏階層まで上昇するので、小屋裏を収納スペースとしても、運搬かごから荷物を容易に小屋裏に運搬することができる。
【００１０】
図１に示すように、小屋裏７の運搬かご接続部分に、小屋裏７と運搬かご２１とを結ぶ連絡路２３を設け、運搬かご２１の開閉扉は、当該運搬かご２１の上部から下部までの全高を開閉可能としてもよい。
以上において、連絡路は、運搬かごの床レベルと小屋裏の床レベルとの段差分の例えば階段が好ましいが、なだらかな傾斜の床板等を設けてもよい。
このような本発明では、運搬かごの床レベルと小屋裏の床レベルとが異なっていても、両者の接続部に連絡路が設けられているので、運搬かごと小屋裏との往来が自在となる。
【００１１】
図１に示すように、運搬かご２１の上部位置には、小屋裏７との間での荷物５０の受け渡しを行う荷物専用扉２７を設けてもよい。
以上において、荷物専用扉は、荷物を持って楽な姿勢で差し出せる高さ、例えば腰の高さ程度の位置に設けられていることが好ましく、また、この荷物専用扉は運搬かごの開閉扉の反対側に設けることが好ましい。
小屋裏に出入りしなくても収納スペースとした小屋裏におけるような荷物の場合、荷物専用扉を開けてそこからおけばよいので、収納作業がはかどる。
【００１２】
図１に示すように、躯体部分８に居室階層Ａよりも高さ寸法の低い蔵階層Ｃを含ませ、運搬かご２１をこの蔵階層Ｃに停止させてもよい。
以上において、居室階層を、柱、梁を備えた箱型かつ輸送制限に抵触しない高さの標準建物ユニットで形成し、蔵階層を、この標準建物ユニットより低い高さの蔵ユニットで形成することが好ましい。
蔵階層が居室階層よりも高さ寸法が低いので、収納スペースとすることができ、これにより、居室スペースを狭くすることなく充分な収納スペースを確保することができる。また、運搬かごが蔵階層に停止し当該蔵階層に出入りできるので、蔵階層が収納スペースとなっていても、運搬かごから荷物を容易に出し入れできる。
【００１３】
図１に示すように、運搬かご２１を、その床２１Ａレベルと蔵階層Ｃの床３Ａレベルとを一致させて停止させてもよい。
運搬かごが、その床レベルが蔵階層の床レベルと一致して停止するので、かなり重い荷物の出し入れであっても、床から床へ滑らせることができ、これにより、重量物でも容易に収納できる。
【００１４】
図１に示すように、運搬かご21の下部位置に、蔵階層Ｃとの間での荷物５０の受け渡しを行う荷物専用扉２８を設けてもよい。
以上において、荷物専用扉は蔵階層の高さとほぼ等しい高さに形成されることが好ましい。
蔵階層位置に運搬かごが停止したとき、運搬かご上部は居室階層に臨んでいるが、この位置では荷物専用扉が開閉されるので、運搬かごから居室階層が見えず、これにより、居室階層のプライバシーが守られる。
【００１５】
図１に示すように、運搬かご２１にその上部から下部までの全高を上下に二分割した上下扉２５、２６を設け、この上下扉２５、２６を、所定の階層に応じて下側または上側、あるいは下側と上側との両方とも開閉させてもよい。
以上において、下側扉と上側扉との高さ寸法はほぼ同じであることが好ましく、かつ、下側扉は、蔵階層の高さ寸法に対応する高さとなっていることが好ましい。
このような本発明では、運搬かごから出入りして荷物を運搬するとき、出入りしなくても荷物だけ運搬かごから降ろしたり、取り出したりするとき等、使い分けができるので、収納作業がはかどる。
【発明を実施するための最良の形態】
【００１６】
以下に、本発明の一実施形態を図面に基づいて説明する。
図１に示すように、本実施形態のエレベータ付き建物はユニット式建物１となっており、このユニット式建物１は、それぞれが居室階層Ａを形成する複数の１階建物ユニット２と、この１階建物ユニット２の上に載せられ、蔵階層Ｃを形成する例えば収納用の蔵ユニット３と、この蔵ユニット３の上に載せられた２階建物ユニット４とを備えて構成され、この２階建物ユニット４の上には、図示しない束等で支持された屋根パネル５が設けられ、この屋根パネル５により屋根部分６が形成されている。
【００１７】
屋根部分６の内部は、小屋裏階層Ｂを形成し、例えば収納スペースとされる小屋裏７となっており、また、１階建物ユニット２、蔵ユニット３および２階建物ユニット４によって、建物の躯体部分８が構成されている。
【００１８】
ここで、１、２階建物ユニット２、４は、図３に示すように、四隅に立設された４本の柱１０と、これらの柱１０の上端間同士および下端間同士を結合する各４本の上梁１１、下梁１２を含む骨組み１３を備えてほぼ箱型に形成されている。また、長辺上梁１１間には複数本の天井小梁１４が、長辺下梁１２間には複数本の床根太１５がそれぞれ架けわたされている。そして、このような骨組み１３に、図１に示すように、外壁１６、内壁１７、天井面材１８および床面材１９等が取り付けられるようになっている。
【００１９】
このような１、２階建物ユニット２、４は、高さ寸法がＨとなっており、このＨ寸法は、トラックでの輸送時に輸送制限に抵触しない寸法のほぼ最大限の寸法となっている。そして、この寸法Ｈの１、２階建物ユニット２、４が標準ユニットとされている。
【００２０】
また、蔵ユニット３は、図３に二点鎖線で示すように、高さ寸法が前記１、２階建物ユニット２、４の高さ寸法Ｈよりも低いＨ１となっており、従って、両者３と２、４とは柱の長さが短いだけで構造はまったく同じである。そのため、構造の詳細な説明は省略する。
このような、蔵ユニット３は高さ寸法が低いため、例えば、収納スペースとされ、荷物５０等が収納されるようになっている。
【００２１】
このようなユニット式建物１の内部には、居室階層Ａの下端、つまり１階建物ユニット２の下端から小屋裏階層Ｂの上端までにわたってエレベータ用昇降路２０が形成されている。このエレベータ用昇降路２０内には、人を載せ、あるいは荷物５０等を載せて昇降自在な運搬かご２１が設けられ、この運搬かご２１を昇降させる運転駆動装置２２が１階建物ユニット２の下方に設けられている。
そして、エレベータ用昇降路２０、運搬かご２１および運転駆動装置２２等を含んでエレベータ２４が構成されている。
【００２２】
運搬かご２１は、その高さが１、２階建物ユニット２、４の室内高さとほぼ同じ、かつ、一人あるいは二人が乗れる程度の小規模に形成され、前述のように小屋裏階層Ｂまで昇れるようになっており、このとき、かご２１の上端は、小屋裏７の天井面材７Ｂの高さ位置とほぼ等しくなっている。また、かご２１の床２１Ａの高さレベルは、小屋裏７の床７Ａの高さレベルより低くなっており、このような、運搬かご２１と小屋裏７との接続部には、両者２１、７の床２１Ａ、７Ａとの段差を埋め、かつ、両者２１、７の自由な往来を可能とするための連絡路である階段２３が設けられている。
なお、この階段２３の裏側が２階の室内から見えないように、２階建物ユニット４の天井面材１８に連続する断面Ｌ字状の天井面材１８’が、階段２３の裏側を覆って設けられている。
【００２３】
運搬かご２１には、小屋裏７の階段２３側に向いた前側に上下に二分割された上側扉２５と下側扉２６とが設けられ、階段２３とは反対側の後側に上記上側扉２５と同じ高さ位置に設けられた小屋裏７用の荷物専用扉２７が設けられている。上側扉２５と下側扉２６とは、それぞれが単独で、あるいは両者２５、２６が同時に開閉できるようになっている。そして、上側扉２５と下側扉２６とが同時に開閉したとき、あたかも、かご２１の下部から上部にわたる一つの全高扉が開閉したと同様となり、このとき、人が容易に出入りできる全高高さ寸法となっている。
また、蔵ユニット３の位置では、運搬かご２１の下側扉２６だけが開くようになっており、このとき、下側扉２６は蔵用の荷物専用扉２８を構成することとなる。
【００２４】
１階建物ユニット２のエレベータ用昇降路２０に臨む部位には、上記全高高さ寸法と対応する乗降用ドア３０が設けられ、蔵ユニット３のエレベータ用昇降路２０に臨む部位には、上記蔵用荷物専用扉２８と対応する蔵乗降用ドア３１が設けられ、２階建物ユニット４のエレベータ用昇降路２０に臨む部位には、上記乗降用ドア３０と同様の乗降用ドア３２が設けられている。
【００２５】
また、小屋裏７のエレベータ用昇降路２０に臨む部位、かつ、階段２３側には、階段２３の下端から小屋裏７の天井面材７Ｂ近傍までの高さの乗降ドア３３Ａが設けられ、後側には、運搬かご２１が小屋裏７の位置にあるとき、小屋裏７の床７Ａから運搬かご２１の専用扉２７の上端までの高さの開閉扉３３Ｂが設けられている。
【００２６】
このような運搬かご２１の作動は、図２に示すように運転制御装置３４等により行われる。
すなわち、運搬かご２１には、運転制御装置３４に接続されて扉開閉装置３５と操作盤３６とが設けられ、この操作盤３６には、１階建物ユニット２で止まって扉を開く押しボタン３７、蔵ユニット３で止まって扉を開く押しボタン３８、２階建物ユニット４で止まって扉を開く押しボタン３９、および小屋裏７で止まって扉を開く押しボタン４０Ａ、４０Ｂが設けられている。
【００２７】
１階用の押しボタン３７および２階用の押しボタン３９を押すと、前記上側扉２５と下側扉２６とが同時に開閉するようになっており、蔵用の押しボタン３８を押すと荷物専用扉としての下側扉２６が開閉し、小屋裏７用の押しボタン４０Ａを押すと、前側の上側扉２５と下側扉２６とが同時に開閉するようになっており、４０Ｂを押すと、後側の荷物専用扉２７が開閉するようになっている。
そして、このような押しボタン３７等と、乗降用ドア３０等とは連動して開閉されるようになっており、このような制御はすべて運転制御装置３４で行われるようになっている。
【００２８】
一方、１、２階建物ユニット２、４、蔵ユニット３および小屋裏７には、運転制御装置３４に接続されて、それぞれ、出入り口用操作盤群４０が設けられている。この出入り口用操作盤群４０には、行き先階を示す押しボタン、つまり、１階建物ユニット２用の行先ボタン３７’、蔵ユニット３用の行先ボタン３８Ａ’、２階建物ユニット４用の行先ボタン３９’、および小屋裏７用の行先ボタン４０’が設けられている。
【００２９】
次に、本実施形態の作用を説明する。
ユニット式建物１を建てた後、エレベータ用昇降路２０に運搬かご２１を昇降自在に配置する。
エレベータ２４の作動にあたり、例えば、蔵ユニット３に荷物５０を収納する場合、蔵ユニット３用の行先ボタン３８’を押し、その位置で停止したとき、蔵用の押しボタン３８を押して荷物専用扉２８を開かせる。そして、荷物５０を、かご２１から蔵ユニット３に押し出す等して移動させる。
【００３０】
小屋裏７に荷物５０を収納する場合、小屋裏７用の行先ボタン４０’を押し、その位置で停止したとき、荷物５０ごと小屋裏７に入りたいときは、前側の押しボタン４０Ａを押して上下の開閉扉２５、２６を開き、階段２３を通って小屋裏７に入る。
荷物５０だけ降ろしたいときは、後側の押しボタン４０Ｂを押し、荷物専用扉２７を開いてそこからその荷物５０を小屋裏７に置けばよい。
また、１、２階建物ユニット２、４に行きたいときは、行先ボタン３７’、３９’を押し、その位置で、押しボタン３７、３９を押して上下の開閉扉２５、２６を開き出入りする。
【００３１】
このような本実施形態によれば、次のような効果がある。
すなわち、小屋裏７と蔵ユニット３とが収納スペースとなっており、また、これらの小屋裏７と蔵ユニット３とは、１、２階建物ユニット２、４とは別のユニットとして形成されているので、居室スペースを狭めることなく充分な収納スペースを確保することができる。
【００３２】
また、運搬かご２１は小屋裏７まで上昇できるようになっているので、小屋裏７を収納スペースとしても、運搬かご２１を小屋裏７まで上昇させてから荷物５０を降ろせばよいので、収納作業が容易となる。
【００３３】
さらに、運搬かご２１の床２１Ａレベルは、小屋裏７の床７Ａのレベルより低くなっているが、両者２１、７の接続部分には階段２３が設けられているので、両者２１、７間の往来が容易となり、これにより、小屋裏７をより有効に利用できるようになる。
【００３４】
さらにまた、運搬かご２１の床２１Ａと、小屋裏７の床７Ａとの段差を埋める階段２３が設けられ、この階段２３の裏側が、２階の天井面材７Ｂより低い位置に現れるが、この階段２３の裏側に天井面材１８’が設けられているので、２階の室内から階段２３の裏側が見えることはなく、室内の雰囲気が悪くなることはない。
【００３５】
また、運搬かご２１は、前側の上下側扉２５、２６、後側の上部位置に形成された荷物専用扉２７をそれぞれ有しており、上下側扉２５、２６は、単独であるいは両者同時に開閉できるので、運搬かご２１を、１、２階建物ユニット２、４の位置で停止させたときは、上下扉２５、２６を同時に開けて全高の出入り口とし、蔵ユニット３の位置で停止させたときは、下側扉２６のみを開けてそこから荷物５０を出し入れし、小屋裏７の位置で停止させたときは、上下扉２５、２６を同時に開けて全高の出入り口としてそこから荷物５０を出し入れするか、あるいは、荷物専用扉２７だけを開けてそこから出し入れするか、そのときに応じて自在である。従って、状況に応じていずれかの扉を開閉できるので、効率のよい使い方ができ、かつ、収納作業等がはかどる。
【００３６】
また、運搬かご２１は、蔵ユニット３の位置に停止するとき、互いの床レベルが同じとなっているので、例えば重い荷物５０を蔵ユニット３に収納する際、滑らせて移動させることができ、これにより、収納作業が容易となる。
【００３７】
なお、本発明は前述の実施形態に限定されるものではなく、本発明の目的を達成できるものであれば、次に示すような変形形態を含むものである。
すなわち、前記実施形態で、運搬かご２１の開閉扉は、上下側扉２５、２６と後側の荷物専用扉２７としたが、これに限らず、後側の荷物専用扉２７の下部に上記下側扉２６と同様の蔵ユニット３用の荷物専用扉を設けてもよい。この場合、この荷物専用扉と対応するドアを蔵ユニット３に形成しておけばよく、このような変形形態では、前後どちらの扉からでも荷物５０の出し入れができるので、高さの低い蔵ユニット３にあっては、一方側から他方側に回らなくてもよくなり、これにより、収納作業等がスムーズとなる。
【００３８】
また、前記実施形態で、運搬かご２１と小屋裏７間に階段２３を設け、この階段２３の裏側に天井面材１８’を設けたが、これに限らず、例えば、天井面材１８’を設けず、階段２３をそのままとし、ただその裏側に天井面材１８と同じような模様のクロス等を張って仕上げておいてもよい。
このようにすれば、階段２３の裏側に天井面材１８’を張らずにすむので、作業の手間が少なくてすむ。
【００３９】
さらに、前記実施形態で、エレベータの前面の開閉扉を上下側扉２５、２６で形成したが、これに限らず、例えば、上下に２段階で開閉する１枚の開閉扉とし、場合に応じて下側だけ開け、あるいは全開するようにしてもよい。
【００４０】
以上に説明したように、本実施形態のエレベータ付き建物によれば、躯体部分の上に小屋裏階層が設けられており、この小屋裏を収納スペースとすれば充分な収納スペースを確保できる。
また、エレベータの運搬かごが小屋裏階層まで上昇するので、小屋裏を収納スペースとしても、運搬かごを小屋裏階層まで上昇させておいて荷物を降ろせるので、収納作業が容易となるという効果がある。
【図面の簡単な説明】
【００４１】
【図１】本発明の一実施形態に係るエレベータ付き建物を示す縦断面図である。
【図２】本実施形態に係るエレベータの駆動制御装置を示すブロック図である。
【図３】本実施形態に係る建物ユニットおよび蔵ユニット示す全体斜視図である。
【符号の説明】
【００４２】
１  エレベータ付き建物
２  躯体部分を構成する１階建物ユニット
３  躯体部分を構成する蔵ユニット
４  躯体部分を構成する２階建物ユニット
６  屋根部分
７  小屋裏
７Ａ  小屋裏の床
８  躯体部分
２０  エレベータ用昇降路
２１  運搬かご
２１Ａ  運搬かごの床
２３  連絡路である階段
２４  エレベータ
２５  上側扉
２６  下側扉
２７  荷物専用扉（小屋裏用）
２８  荷物専用扉（蔵用）
３４  運転制御装置
５０  荷物
Ａ  居室階層
Ｂ  小屋裏階層
Ｃ  蔵階層
【図１】
2004224575.tif 000003
【図２】
2004224575.tif 000004
【図３】
2004224575.tif 000005